(57)【要約】【課題】  携帯可能な小型の送風機を提供する。【解決手段】  送風機１は、管状をなし、外周面が把持部４Ｅとして機能するハウジング４と、ハウジングに収容されるモータ３と、ハウジングに収容され、モータと接続されてハウジングの一端部に設けられた送風口８から風を送出させるファン６と、ハウジングの他端部側の内部に設けられ、モータに電力を供給する二次電池２を着脱自在に収容する電池収容部４Ｃとを有する。【選択図】図２
2019152105.tif 000002
【特許請求の範囲】
【請求項１】
管状をなし、外周面が把持部として機能するハウジングと、
前記ハウジングに収容される駆動源と、
前記ハウジングに収容され、前記駆動源と接続されて前記ハウジングの一端部に設けられた送風口から風を送出させる送風ファンと、
前記ハウジングの他端部側の内部に設けられ、前記駆動源に電力を供給する二次電池を着脱自在に収容する電池収容部と
を有することを特徴とする送風機。
【請求項２】
前記電池収容部は、前記ハウジングの他端部に開口を有し、
前記電池収容部は、前記二次電池が前記開口を介して前記電池収容部に差し込まれて前記二次電池の電極端子と電気的に接続される端子部を有することを特徴とする請求項１に記載の送風機。
【請求項３】
前記電池収容部に対する前記二次電池の差込方向は、前記ハウジングの長手方向と同一であることを特徴とする請求項２に記載の送風機。
【請求項４】
前記電池収容部は、前記二次電池のラッチ部が係止される係止部を有し、前記係止部に係止された前記ラッチ部は、少なくとも一部が前記ハウジングの外部に露出されることを特徴とする請求項１から３の何れか一に記載の送風機。
【請求項５】
前記駆動源と前記送風ファンとは、前記長手方向に沿って順に配置され、
前記駆動源と対向する前記ハウジングには、前記ハウジングの外部と内部とを連通させる吸気孔が形成され、
前記送風ファンの回転により、前記ハウジングは、内部に前記吸気孔から前記送風口に向かう風路を画定することを特徴とする請求項３に記載の送風機。
【請求項６】
前記ハウジングは、前記長手方向に沿って分割される２つ割りハウジングからなり、
前記ハウジングの内周部に、前記駆動源を支持する支持部が前記ハウジングと一体的に設けられていることを特徴とする請求項３又は５に記載の送風機。
【請求項７】
前記長手方向と略直交する方向における前記風路の断面の幅は、前記長手方向と略直交する方向における前記電池収容部に収容された前記二次電池の断面の幅より小さいことを特徴とする請求項５に記載の送風機。
【請求項８】
前記支持部は、前記ハウジングの内周部から前記駆動源の方向に向けて立設するリブを有し、
前記リブは、前記内周部側の基部と、前記駆動源に当接する先端部とを有し、
前記基部に吸気孔が形成されて前記ハウジングの外部と内部とを連通させていることを特徴とする請求項６に記載の送風機。
【請求項９】
前記二次電池から前記駆動源に供給される電力を調整するトリガスイッチをさらに有することを特徴とする請求項１から８の何れか一に記載の送風機。
【請求項１０】
前記二次電池の長手方向の長さは、前記駆動源及び前記送風ファンの長手方向の長さよりも長いことを特徴とする請求項１から９の何れか一に記載の送風機。
【請求項１１】
前記電池収容部には、１本又は２本の二次電池セルを有する二次電池が収容されることを特徴とする請求項１に記載の送風機。
【請求項１２】
前記ハウジングの一端部には、前記送風口からの風の送出方向を照らす光源が設けられていることを特徴とする請求項１に記載の送風機。
【発明の詳細な説明】
【技術分野】
【０００１】
本発明は、ゴミなどを吹き飛ばして清掃をする携帯可能な小型の送風機に関する。
【背景技術】
【０００２】
コードレス携帯用送風機は、電池パックの電力により本体内に内蔵されたモータを駆動し、これによりファンを回転させ、生じた空気流を吹出口からノズルを経由して噴射し掃除をするものである。
【先行技術文献】
【特許文献】
【０００３】
【特許文献１】特開２０１４−１３７０３０号公報
【発明の概要】
【発明が解決しようとする課題】
【０００４】
従来の送風機は、比較的大型であって携帯性が悪く、用途が限定されていた。その一方で、電動ドライバによるネジ締めやドリルによる穴開けの後に、作業領域や穴の周囲に飛散した塵埃や切り屑を除去したいという要望がある。送風機が大きいと、小さな穴の内部の清掃や室内等での使用において操作性が悪く、穴開けやネジ締め毎にゴミの吹き飛ばし作業を行うことが困難であった。また、携帯することが容易ではなかった。
【０００５】
本発明の目的は、小型で操作性のみならず携帯性にも優れた送風機を提供することである。
【課題を解決するための手段】
【０００６】
本発明の送風機は、管状をなし、外周面が把持部として機能するハウジングと、前記ハウジングに収容される駆動源と、前記ハウジングに収容され、前記駆動源と接続されて前記ハウジングの一端部に設けられた送風口から風を送出させる送風ファンと、前記ハウジングの他端部側の内部に設けられ、前記駆動源に電力を供給する二次電池を着脱自在に収容する電池収容部とを有する。
【０００７】
上記構成により、ハウジングの外周面を作業者が把持して、送風口を被加工部材に向け、送風口から送出される風を被加工材に吹き付けることにより、切り屑や埃などを吹き飛ばすことができる。送風機は、ハウジングの外周面を作業者が把持できるほど小型に形成されているため、小さな穴の内部の清掃や室内等での使用においての使い勝手が優れている。また、小型であるため、ポケットに入れて持ち運べるなど携帯性に優れる。さらに、電池が着脱自在であるため、電池交換をハウジングの一部を取り外さずに行うことができる。
【０００８】
好ましくは、前記電池収容部は、前記ハウジングの他端部に開口を有し、前記電池収容部は、前記二次電池が前記開口を介して前記電池収容部に差し込まれて前記二次電池の電極端子と電気的に接続される端子部を有する。当該構成により、作業者がハウジングを把持した状態で、電池収容部に収容されている電池を交換し、その後、ハウジングを把持する手を持ち換えずに、切り屑などの吹き飛ばし作業を行うことができる。また、電池交換のためのハウジングの一部の取り外しが不要となるため、電池交換を容易に行える。
【０００９】
好ましくは、前記電池収容部に対する前記二次電池の差込方向は、前記ハウジングの長手方向と同一である。当該構成により、ハウジング内で、ハウジングの長手方向に対して順に、送風ファン、駆動源、二次電池と配置することが可能となり、送風機の小型化が図れる。
【００１０】
好ましくは、前記電池収容部は、前記二次電池のラッチ部が係止される係止部を有し、前記係止部に係止された前記ラッチ部は、少なくとも一部が前記ハウジングの外部に露出される。当該構成により、ハウジングの一部を取り外すことなく、ラッチ部の係止部に対する係止、又は係止の解除で電池交換を行うことができるので、電池交換作業が簡単になる。
【００１１】
好ましくは、前記駆動源と前記送風ファンとは、前記長手方向に沿って順に配置され、前記駆動源と対向する前記ハウジングには、前記ハウジングの外部と内部とを連通させる吸気孔が形成され、前記送風ファンの回転により、前記ハウジングは、内部に前記吸気孔から前記送風口に向かう風路を画定する。当該構成により、吸気孔よりハウジング内部に導入された空気は、風路を通過して送風口から外部に送出されて、被加工部材の切り屑を吹き飛ばす。また、風路内に駆動源の少なくとも一部が配置されるので、駆動源が冷却される。
【００１２】
好ましくは、前記ハウジングは、前記長手方向に沿って分割される２つ割りハウジングからなり、前記ハウジングの内周部に、前記駆動源を支持する支持部が前記ハウジングと一体的に設けられている。ハウジングを２つ割り構成とすることで、支持部をハウジングと一体的に形成することができる。また、支持部がハウジングと一体的であることにより、駆動源は、安定して支持部によって支持される。
【００１３】
好ましくは、前記長手方向と略直交する方向における前記風路の断面の幅は、前記長手方向と略直交する方向における前記電池収容部に収容された前記二次電池の断面の幅より小さい。当該構成により、被加工部材に近い側のハウジングの長手方向と略直交する方向におけるハウジングの断面を小さく形成でき、狭い作業空間でもハウジングの一端部を差し込んで木くずを吹き飛ばすことができる。
【００１４】
好ましくは、前記支持部は、前記ハウジングの内周部から前記駆動源の方向に向けて立設するリブを有し、前記リブは、前記内周部側の基部と、前記駆動源に当接する先端部とを有し、前記基部に吸気孔が形成されて前記ハウジングの外部と内部とを連通させている。当該構成により、リブの基部に吸気孔を設けることによって、単位面積あたりに吸気孔の締める割合を高くできる。これにより、ハウジング内部に案内する空気の量を増やして、送風口から送り出す空気量を増やし、吹き飛ばし効率を高めることができる。
【００１５】
好ましくは、前記二次電池から前記駆動源に供給される電力を調整するトリガスイッチをさらに有する。トリガスイッチにより駆動源に供給する電力を調整して、送風口から出す風量を変えることができる。
【００１６】
好ましくは、前記二次電池の長手方向の長さは、前記駆動源及び前記送風ファンの長手方向の長さよりも長い。当該構成により、ハウジングの長手方向の長さを短くでき、送風機の小型化が図れ、携帯性が改善される。
【００１７】
好ましくは、前記電池収容部には、１本又は２本の二次電池セルを有する二次電池が収容される。当該構成により、電池収容部を小さくして送風機全体を小型にし、携帯性を改善する。
【００１８】
好ましくは、前記ハウジングの一端部には、前記送風口からの風の送出方向を照らす光源が設けられている。当該構成により、被加工部材に対して風が当たっているところを作業者が容易に視認でき、作業性を向上させる。
【発明の効果】
【００１９】
本発明によれば、携帯性に優れた小型の送風機を作成することができる。
【図面の簡単な説明】
【００２０】
【図１】本発明の第１の実施の形態に係る送風機を示す斜視図。
【図２】図１に示す送風機の長手方向に沿った断面図。
【図３】図１に示す送風機の分解斜視図。
【図４】モータ、ファン及び静翼が配置されるハウジング内部を説明する図。
【図５】モータ、ファン及び静翼が配置されるハウジング内部を図４とは異なる方向から見た図。
【図６】本発明の第２の実施の形態に係る送風機の長手方向に沿った断面図。
【発明を実施するための形態】
【００２１】
以下、本発明の実施の形態に係る送風機を添付図面を参照して説明する。なお、以下の図において、同一の部分には同一の符号を付し、繰り返しの説明は省略する。また、本明細書においては、前後、上下左右の方向は図中に示す方向であるとして説明する。
【００２２】
図１及び図２に示すように、送風機１は、充電可能で着脱可能な電池パック２を電源とし、モータ３を駆動源としてファン６を回転させて風を発生させて切り屑や塵埃を吹き飛ばす作業を行うものである。送風機１は、樹脂製のハウジング４内に、スイッチ５と、モータ３と、ファン６とを有し、電池パック２からの電力によりモータ３が回転してファン６が回転するように構成されている。
【００２３】
ハウジング４は、長手方向に延びる管状に形成され、高分子樹脂の一体成形によって長手方向に沿って左右に右ハウジング及び左ハウジングとして２分割可能に構成される。右ハウジング及び左ハウジングは、長手方向の両端部の連結部４Ａを介してネジ７によって固定される。ハウジング４は、長手方向の一端部側にモータ収容部４Ｂが形成され、他端部側に電池パック２が収容される電池収容部４Ｃが形成されたペン形状をとる。さらに、モータ収容部４Ｂの先端には送風口８が形成される。ハウジング４の他端部には開口部９が形成され、開口部９が電池収容部４Ｃに連通して開口部９を介しての電池収容部４Ｃへの電池パック２の差し込みが可能になっている。
【００２４】
ハウジング４の長手方向に管状に伸びる外周面の他端部側は、把持部４Ｅとして機能し、作業者が把持可能な形状及び寸法を有するように形成されている。把持部４Ｅとなるハウジング４の外表面は、作業者が把持したときに手になじむような形状を有する。把持部４Ｅの一部は、例えば複数の窪み又は突起を有するエラストマからなる弾性を有する部材４Ｆで覆われ、作業者の手の滑り止めとして機能する。本実施の形態では、把持部４Ｅは、電池収容部４Ｃを包囲するハウジング４の部分に相当する。例えばハウジング４は、長手方向の長さが略２２ｃｍ、モータ収容部４Ｂの長手方向に直交する方向の断面の最大径が略４．７ｃｍ、電池収容部４Ｃの長手方向に直交する断面の径は長径が４．５ｃｍ、短径が３ｃｍに形成されている。なお、ハウジング４の形状及び寸法は、上記に限定されず、作業者がハウジング４の外周面を把持して送風口８を作業領域に向けることが可能な適宜の形状及び寸法であれば良い。
【００２５】
電池パック２は、いわゆる差し込み式の電池パック２である。電池パック２は、電池ハウジングが略直方体の樹脂からなり、内部にリチウムイオン電池からなる二次電池セルを有して、例えば７．２Ｖの出力電圧を有する。電池パック内部の二次電池セルの本数は、１本、２本、又はそれ以上であっても良く、また、出力電圧に応じて変えることもできる。電池ハウジングの一端部に正極端子及び負極端子からなる電極端子を含む端子部２１が設けられ、他端部側の外周面にラッチ部２２が設けられている。電池パック２の他端部の形状は、電池パックが電池収容部４Ｃに収容されたときにハウジング４の開口部９を閉塞するように形成され、電池パック２の他端部が送風機１の外縁部分の一部を構成する。なお、二次電池セルの種類は任意に設定することができる。
【００２６】
電池収容部４Ｃは、ハウジング４の開口部９を介して内部に電池パック２を収容可能な空間を有する。電池収容部４Ｃは、開口部９とは長手方向の反対側に、電池パック２の端子部２１と電気的に接続される端子部４Ｇが設けられている。開口部９の縁部近傍であって電池収容部４Ｃの内面には、電池パック２のラッチ部２２と係合される係止部１０が形成され、電池パック２のラッチ部２２が係止部１０に係合することにより、電池パック２はハウジング４に保持される。また、ハウジング４の係止部１０に係止された電池パック２のラッチ部２２は、少なくとも一部がハウジング４の外部に露出されるので、電池パック２のラッチ部２２を作業者が直接操作できるようになっている。
【００２７】
この構成により、電池パック２を開口部９を通過させてハウジング４の長手方向にそって電池収容部４Ｃに差し込むことによって、電池パック２をハウジング４に装着させて電池収容部４Ｃの端子部４Ｇと電気的に接続させることができる。すなわち、電池パック２の差し込み方向は、ハウジング４の長手方向と同一になっている。一方、電池パック２をハウジング４から外すときは、電池パック２のラッチ部２２を押して係止部１０との係合を解除して電池パック２を開口部９から引き出すことにより、電池パック２を電池収容部４Ｃから取り出すことにより、電池パック２の端子部２１と電池収容部４Ｃの端子部４Ｇとの接続が解除される。また、電池パック２は、ハウジング４と協働して開口部９を閉塞するための蓋としても働く。電池パック２をハウジング４に装着させることで、開口部９は閉塞される。
【００２８】
モータ収容部４Ｂには、電池収容部側４Ｃから送風口８に向けて、長手方向に沿って順に、スイッチ５と、モータ３と、ファン６と、静翼１１とが配置されている。端子部４Ｇと、スイッチ５と、モータ３とは、端子部４Ｇ近傍に配置された保護基板１２及び配線１３を介して電気的に接続される。この構成により、スイッチ５がオンになると、電池パック２からモータ３へ電力が供給される。また、スイッチ５にはトリガ１４が取り付けられている。トリガ１４は、ハウジング４の外部に露出して把持部４Ｅを把持した作業者の指で操作可能な位置に設けられている。トリガ１４の押下及び押下の解放によってスイッチ５のオン及びオフを切り替える。また、トリガ１４の押下量を調整することによって、モータ３に供給される電力を調整し、ファン６の回転数を変更することができる。なお、スイッチ５及びトリガ１４は、トリガスイッチの一例である。
【００２９】
モータ３は、例えばブラシ付きの直流モータであり、回転軸３Ａを有する。図５に示すように、モータ３と対向するハウジング４の内周部には、モータを３支持するリブ４Ｈが、２つ割りハウジングの各々から立設している。リブ４Ｈは、内周部側が基部４Ｈ１となり、基部４Ｈ１の反対側が先端部４Ｈ２となっている。モータ３は、回転軸３Ａがハウジング４の長手方向と略平行となるように配置され、各リブ４Ｈの先端部４Ｈ２と当接することによりリブ４Ｈによってハウジング４内に支持される。すなわち、モータ３は、ハウジング４に対し、ハウジング４の内周部との間に間隙を介して支持される。なお、リブ４Ｈは、支持部の一例である。
【００３０】
また、モータ３と対向するハウジング４の周面には、ハウジング４の内部と外部とを連通させる複数の吸気孔４ａが形成されている。本実施の形態では、吸気孔４ａは、円形と長手方向に伸びる長円とのいずれか一方の形状をとる。さらに、吸気孔のうち、図５に示すように、リブ４Ｈの基部４Ｈ１と重なるようにハウジング４に形成される吸気孔４ａも存在する。リブ４Ｈの基部４Ｈ１となるハウジング４にも吸気孔４ａを形成することにより、全ての吸気孔４ａの開口面積を合わせた開口面積を増やすことができる。これにより、ハウジング４の内部に取り込む空気量を増やすことができる。
【００３１】
吸気孔４ａは、把持部４Ｅよりも一端側に設けられている。また、吸気孔４ａは、把持部４Ｅよりも前方に設けられ、ハウジング４の外径が把持部４Ｅよりも小さいくびれ領域よりも前方にある。このため、作業者が把持部４Ｅを把持したときにも吸気孔４ａを塞いでしまう心配がなく、ハウジング４内部に取り込む空気量を充分に確保できる。
【００３２】
ファン６は、軸流ファンからなり、モータ３の回転軸３Ａに固定されてモータ３と一体的に回転する。ファン６は、送風ファンの一例である。ファン６の回転により、吸気孔４ａからハウジング４内部に取り込まれた空気によって空気流が発生され、この空気流は送風口８を経由して外部に吹き出される。また、ファン６の回転により、ハウジング４の内部には吸気孔４ａから送風口８に向かう風路４ｂが画定される。風路４ｂの長手方向と略直交する方向における断面の長さは、電池パック２の長手方向と略直交する方向における断面の長さよりも小さく形成されている。この構成により、モータ３を冷却しながらもハウジング４の前側部分を小さく製造でき、送風機１の小型化に寄与する。
【００３３】
なお、ハウジング４内に配置されたモータ３とファン６とを合わせた長手方向の長さは、電池収容部４Ｃに収容された電池パック２の長手方向の長さよりも短くなるように設けられている。この構成により、ハウジング４の長手方向の長さを短縮でき、送風機１を小型にすることができる。
【００３４】
ファン６と送風口８との間のハウジング４の内周部には、静翼１１が取り付けられている。静翼１１は、コーン１１Ａに対し少なくとも４枚のプロペラ１１Ｂが放射状に一体的に形成されている。図３及び図４に示されるように、静翼１１のプロペラ１１Ｂの湾曲に対応してハウジング４の内周部に湾曲した溝４Ｌが形成され、溝４Ｌにプロペラ１１Ｂがはめ込まれて、静翼１１がハウジング４に固定される。静翼１１は、ファン６の回転と相まって旋回している空気流を整流して空気流の旋回を抑制する。なお、図３〜５に示す静翼１１のプロペラ１１Ｂの枚数は４枚であるが、プロペラ１１Ｂの枚数は、５枚、又は７枚などの適宜の枚数であっても良い。
【００３５】
ハウジング４の送風口８には、図２に示される着脱式のノズル１５が取り付け可能である。ノズル１５は、長手方向に伸びて先細りとなる略管状を有し、直径が最小となる一端部に円形の送風口１６が形成され、他端部も開口するとともにハウジング４の送風口８に嵌合可能な嵌合部１７が形成されている。本実施の形態において、ノズル１５は長手方向の長さが約１２．５ｃｍに形成されている。ノズル１５をハウジング４の送風口８にはめ込むことにより、空気流をより集束させてより狭い領域に吹き付けることができる。なお、ノズル１５の長さは用途に応じて適宜の長さとすることができる。
【００３６】
次に、送風機１の動作について説明する。
【００３７】
ハウジング４の把持部４Ｅを作業者が把持して、ハウジング４の電池収容部４Ｃに対しハウジング４の長手方向に沿って電池パック２を差し込み、ハウジング４に対して電池パック２を装着する。把持部４Ｅを把持したまま、トリガ１４を押し込んでスイッチ５をオンさせて電池パック２からモータ３への給電を開始すると、ファン６が回転する。ファン６の回転により、吸気孔４ａよりハウジング４内の風路４ｂに取り込まれた空気によって空気流が発生し、静翼１１によって整流された後、ハウジング４の送風口８を経由して空気流が送出されて、送風口８と対向する作業領域の切り屑や塵埃を吹き飛ばすことができる。又は、ハウジング４にノズル１５を取り付けた場合は、ノズル１５によって空気流が小径に集束されて送風口１６を介して送出される。この場合は、吹き飛ばしの効率を高めることができる。
【００３８】
本実施の形態では、電池収容部４Ｃを囲むハウジング４の長手方向に直交する方向に沿った断面の幅が、電池収容部４Ｃに収容された電池パック２の同じ方向に沿った断面の幅の１．５倍未満と小さく、ハウジング４の外周面を作業者が把持できるほどにハウジング４が小径に形成され、また、ハウジング４の長手方向の長さが、電池パック２の長手方向の長さの２．７倍程度と短いので、送風機１の操作性が良く、小さい穴の内部の清掃や狭い場所での使い勝手に優れる。尚、ハウジング４の長手方向の長さが、電池パック２の長手方向の長さの１倍〜５倍であれば、同様の効果を生じることができる。
【００３９】
また、送風機１そのものが小さいので、作業者のポケットに入れて持ち運びができるなど携帯性にも優れる。さらに、電池パック２が着脱自在であるため、ハウジング４の開口部９を介して電池パック２の抜き差しを簡単に行うことができる。また、ハウジング４の一部を取り外すことなく電池交換ができるので、電池交換作業が簡単である。
【００４０】
上記実施の形態では、電池パック２の差し込み方向が、作業者によって外周面が把持されているハウジング４の長手方向と同一なので、作業者がハウジング４を把持した状態で電池パック２を交換し、その後、ハウジング４を把持する手を持ち換えることなく、切り屑の吹き飛ばし作業を行うことができる。
【００４１】
また、電池パック２がハウジング４の電池収容部４Ｃに取り付けられているときに、電池パック２のラッチ部２２がハウジング４の外部に露出するので、作業者はラッチ部２２の操作だけで電池交換を行うことができ、電池交換作業が簡単になる。
【００４２】
さらに、ファン６の回転により、ハウジング４の吸気孔４ａから送風口８に向かう風路４ｂがハウジング４内に画定されて、その風路４ｂ内にモータ３が配置されるので、空気流によりモータ３を冷却しつつ吹き飛ばし作業を行うことができる。このため、モータ３の発熱を抑制できる。
【００４３】
また、ハウジング４は２つ割り構造を取るため、内周部にモータ３や端子部４Ｇ等の部品を支持するリブ４Ｈを一体的に設ける場合であっても、ハウジング４を安価に且つ簡単に製造することができ、送風機１の製造単価を抑制できる。
【００４４】
さらに、トリガ１４及びスイッチ５を有することにより、モータ３に供給する電力を調整して、送風口８から送出する風量を変更できるので、作業の種類やその領域に応じた空気流を生成することができる。
【００４５】
また、電池パック２の長手方向の長さは、モータ３およびファン６の長手方向の長さよりも長いので、ハウジング４の長手方向全体の長さを短くでき、送風機１の小型化が図れる。送風機１の小型化により携帯性が改善される。
【００４６】
さらに、空気流の風路４ｂの長手方向と略直交する方向に沿った断面の長さが、電池収容部４Ｃに収容された電池パック２の長手方向と略直交する方向に沿った断面の長さよりも小さいので、作業領域と対向するハウジング４の前側部を小型化でき、狭い空間での作業性を高めることができる。
【００４７】
本実施の形態では、電池収容部４Ｃに相当するハウジング４の外周面を把持部４Ｅとしたが、モータ収容部４Ｂに相当するハウジング４の外周面、すなわちハウジングの一端部側を把持部としても良い。
【００４８】
次に、図６を用いて本発明の第２の実施の形態に係る送風機３０を説明する。なお、第１の実施の形態と同一の部材には同一の符号を付してその詳細な説明は省略する。
【００４９】
送風機３０のハウジング３１は、メインハウジング３２とハンドルハウジング３３とからなる。メインハウジング３２は、長手方向に沿って２分割可能に形成され、ネジによって左右部分が固定される。ハンドルハウジング３３は、後端部に開口部３５を有する管状に形成され、長手方向に沿って２分割可能に作成される。ハンドルハウジング３３は、把持部の一例である。メインハウジング３２とハンドルハウジング３３とは、前後方向の中央付近において回動軸３６を有する回動機構によって連結され、回動軸３６を中心に約７０度程度回動可能である。回動機構によって、メインハウジング３２とハンドルハウジング３３とが線条に並ぶ、いわゆるストレートタイプの形状から、図６においてハンドルハウジング３３を点線で示す回動させた形状、いわゆるガンタイプの形状に変化させることができる。
【００５０】
メインハウジング３２には、長手方向に沿って回動軸３６側から送風口８に向けて、順に、モータ３と、ファン６と、静翼１１とが配置されている。なお、メインハウジング３２の送風口近傍に、ＬＥＤからなる光源３７を設けて作業領域を照射するようにしても良い。
【００５１】
ハンドルハウジング３３には、開口部３５と連通する電池収容部４Ｃが形成され、端子部４Ｇ、保護基板１２、トリガ１４、スイッチ５が収容されている。メインハウジング３２及びハンドルハウジング３３に収容される部品及び寸法については第１の実施の形態と同じであるので詳細な説明は省略する。
【００５２】
第２の実施の形態においては、作業領域や対象に応じて、メインハウジング３２に対しハンドルハウジング３３を回動させてから、吹き飛ばし作業を行うことができる。作業領域や対象に応じてハウジング３０形態をストレートタイプ又はガンタイプと選択的に変えることできるので、送風機３０の操作性を向上させることができる。また、光源３７により作業領域を照らすこともできるので、暗所での作業性が改善される。
【００５３】
また、第２の実施の形態に係る送風機３０も、第１の実施の形態の送風機１と同様の作用及び効果を奏するので、その詳細についての記載は省略する。従って、小型で且つ携帯性の優れた送風機３０を提供することができる。
【００５４】
なお、本発明において、電池パック２は、１つ以上の二次電池セルを有する電池パックのみならず、二次電池からなる電池をも含むものとする。
【符号の説明】
【００５５】
１、３０  送風機
２  二次電池
３  駆動源
４、３１  ハウジング
４Ｃ  電池収容部
４Ｅ  把持部
８  送風口
６  送風ファン
【図１】
2019152105.tif 000003
【図２】
2019152105.tif 000004
【図３】
2019152105.tif 000005
【図４】
2019152105.tif 000006
【図５】
2019152105.tif 000007
【図６】
2019152105.tif 000008